(57)【要約】      （修正有）【課題】高さの低い箱体であっても容易に封函テープを剥離することができる箱用シートを提供する。【解決手段】左右方向に交互に連接される一対の長さ面パネル１及び一対の幅面パネル２と、一対の長さ面パネルの上縁から延出する一対の蓋外フラップ３と、一対の幅面パネルの上縁から延出する一対の蓋内フラップ４とを備え、箱型に組み立て可能な箱用シートであって、組立状態で、一対の蓋外フラップの先端縁同士を突き合わせて、一対の蓋外フラップ及び一対の幅面パネルの外面に封函テープを貼着することで封函可能に構成されており、幅面パネルの封函テープが貼着される位置の外面に、潰し加工で凹部２０が形成されており、凹部が、長軸が上下方向に延びる長円形状である。【選択図】図１
0003235381.tif 000002
【実用新案登録請求の範囲】
【請求項１】
左右方向に交互に連接される一対の長さ面パネル及び一対の幅面パネルと、
上記一対の長さ面パネルの上縁から延出する一対の蓋外フラップと、
上記一対の幅面パネルの上縁から延出する一対の蓋内フラップと
を備え、箱型に組み立て可能な箱用シートであって、
組立状態で、上記一対の蓋外フラップの先端縁同士を突き合わせて、上記一対の蓋外フラップ及び一対の幅面パネルの外面に封函テープを貼着することで封函可能に構成されており、
上記幅面パネルの封函テープが貼着される位置の外面に、潰し加工で凹部が形成されており、
上記凹部が、長軸が上下方向に延びる長円形状である箱用シート。
【請求項２】
上記凹部が、上記幅面パネルの上下方向中央部に形成されている請求項１に記載の箱用シート。
【請求項３】
上記幅面パネルに、上記凹部を跨がって左右方向に延びる第１切断線と、上記第１切断線の両端それぞれを中点として上下方向に延びる一対の第２切断線とが形成されている請求項１又は請求項２に記載の箱用シート。
【請求項４】
上記幅面パネルに、上記一対の第２切断線の上端同士及び下端同士をそれぞれ連結する一対の折曲容易線が形成されている請求項３に記載の箱用シート。
【請求項５】
上記凹部が、上記一対の折曲容易線を跨がって配置されている請求項４に記載の箱用シート。
【考案の詳細な説明】
【技術分野】
【０００１】
本考案は、箱用シートに関する。
【背景技術】
【０００２】
段ボールシート等から組み立てられる箱体が、物品の保管、運搬等に広く用いられている。この段ボールシートとしては、組立状態で対向する一対の長さ面パネル及び一対の幅面パネルと、一対の長さ面パネルの上縁から延出する一対の蓋外フラップと、一対の幅面パネルの上縁から延出する一対の蓋内フラップとを有するものが広く採用されている。この箱体は、一対の長さ面パネル及び一対の幅面パネルが四角筒状に組み立てられた状態で、一対の蓋内フラップを内側に折り曲げ、さらに上記一対の蓋外フラップの先端縁同士を突き合わせて、上記一対の蓋外フラップ及び一対の幅面パネルの外面に封函テープを貼着することで蓋部が形成される。また、底部についても、蓋部と同様の構成で形成することができる。
【０００３】
この箱体は、内容物を取り出す際には、封函テープを剥がしたうえで一対の蓋外フラップ同士を開放することを要する。しかしながら、封函テープを剥がす際には、例えば封函テープの端部に爪をかけることを要し、剥離作業に手間がかかる。
【０００４】
封函テープの剥離作業を容易化する構成として、貼着する封函テープの切断端を横切る位置の幅面フラップの外面に、封函テープの貼着方向に沿った２本の切目線を設け、この切目線間の部分の中芯を押潰した凹部を有する構成が提案されている（実開平２−１９７２８号公報参照）。
【０００５】
この箱体のテープ封函構造では、封函テープの切断端が切目線の略中央部になるように長さを設定し切断貼着する。そうすると、封函テープの切断端が凹部に位置し、この凹部が手掛用凹部として作用する。従って、封函テープを剥離する際には、この凹部から封函テープの切断端に指先を掛けて封函テープを容易に剥離することができる。
【先行技術文献】
【特許文献】
【０００６】
【特許文献１】実開平２−１９７２８号公報
【考案の概要】
【考案が解決しようとする課題】
【０００７】
上記従来のテープ封函構造では、封函テープを剥離する際に凹部から封函テープの切断端に指先を掛けることを前提としている。例えば高さの低い箱体において、蓋部を封函する封函テープが、底部を封函する封函テープに重なってしまうと、凹部に指先を掛けることができなくなってしまう。
【０００８】
本考案は、このような事情に鑑みてなされたものであり、高さの低い箱体であっても容易に封函テープを剥離することができる箱用シートの提供を課題とする。
【課題を解決するための手段】
【０００９】
本考案の一態様に係る箱用シートは、左右方向に交互に連接される一対の長さ面パネル及び一対の幅面パネルと、上記一対の長さ面パネルの上縁から延出する一対の蓋外フラップと、上記一対の幅面パネルの上縁から延出する一対の蓋内フラップとを備え、箱型に組み立て可能な箱用シートであって、組立状態で、上記一対の蓋外フラップの先端縁同士を突き合わせて、上記一対の蓋外フラップ及び一対の幅面パネルの外面に封函テープを貼着することで封函可能に構成されており、上記幅面パネルの封函テープが貼着される位置の外面に、潰し加工で凹部が形成されており、上記凹部が、長軸が上下方向に延びる長円形状である。
【考案の効果】
【００１０】
本考案の箱用シートは、高さの低い箱体であっても容易に封函テープを剥離することができる箱体を組立可能である。
【図面の簡単な説明】
【００１１】
【図１】図１は、本考案の一実施形態に係る箱用シートを示す模式的平面図である。
【図２】図２は、図１の箱用シートを組み立てて得られる箱体を示す模式的斜視図である。
【図３】図３は、図２の箱体において蓋部を封函する封函テープを剥離する途中を示す模式的斜視図である。
【図４】図４は、図２の箱体において蓋部を封函する封函テープを剥離する際の凹部付近の状態を示す模式的断面図である。
【考案を実施するための形態】
【００１２】
［本考案の実施形態の説明］
最初に本考案の実施態様を列記して説明する。
【００１３】
本考案の一態様に係る箱用シートは、左右方向に交互に連接される一対の長さ面パネル及び一対の幅面パネルと、上記一対の長さ面パネルの上縁から延出する一対の蓋外フラップと、上記一対の幅面パネルの上縁から延出する一対の蓋内フラップとを備え、箱型に組み立て可能な箱用シートであって、組立状態で、上記一対の蓋外フラップの先端縁同士を突き合わせて、上記一対の蓋外フラップ及び一対の幅面パネルの外面に封函テープを貼着することで封函可能に構成されており、上記幅面パネルの封函テープが貼着される位置の外面に、潰し加工で凹部が形成されており、上記凹部が、長軸が上下方向に延びる長円形状である。
【００１４】
当該箱用シートでは、幅面パネルの封函テープが貼着される位置の外面に潰し加工で形成される凹部を有する。この凹部上では封函テープが貼着され難く、封函テープの貼着面積が低減される。当該箱用シートでは、上記凹部を長軸が上下方向に延びる長円形状とすることで、封函テープの端部において、この幅面パネルに貼着され難い非貼着面が確保され、封函テープを剥離させ易い。このように当該箱用シートでは、非貼着面の確保により封函テープを剥離させ易くするので、例えば高さの低い箱体で、蓋部を封函する封函テープが底部を封函する封函テープに重なってしまう場合においても、蓋部を封函する封函テープを剥離させ易いという効果を奏することができる。
【００１５】
上記凹部が、上記幅面パネルの上下方向中央部に形成されているとよい。このように上記凹部を上記幅面パネルの上下方向中央部に形成することで、特に底部を封函テープで封函する高さの低い箱体において、１つの凹部で、蓋部を封函する封函テープのみならず、底部を封函する封函テープも容易に剥離させることができる。
【００１６】
上記幅面パネルに、上記凹部を跨がって左右方向に延びる第１切断線と、上記第１切断線の両端それぞれを中点として上下方向に延びる一対の第２切断線とが形成されているとよい。このように上記凹部に跨がって上記第１切断線を配置することで、封函テープを剥離する際に、幅面パネルの上記第１切断線近傍の領域が箱体の内面に押し込まれ易くなり、封函テープが外面側から押され凹部に貼着されることを抑止できる。このため、より確実に封函テープを剥離させることができる。
【００１７】
上記幅面パネルに、上記一対の第２切断線の上端同士及び下端同士をそれぞれ連結する一対の折曲容易線が形成されているとよい。このように上記幅面パネルに、上記一対の第２切断線の上端同士及び下端同士をそれぞれ連結する一対の折曲容易線を形成することで、封函テープが凹部に貼着されることを抑止する効果を高められる。
【００１８】
上記凹部が、上記一対の折曲容易線を跨がって配置されているとよい。このように上記凹部を上記一対の折曲容易線を跨がって配置することで、幅面パネルに貼着され難い非貼着面がさらに確保され、封函テープを剥離させ易いという効果を高めることができる。
【００１９】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「内」及び「外」は、それぞれ箱体の内側及び外側を指す。
【００２０】
［本考案の実施形態の詳細］
以下、本考案の一実施形態に係る箱用シートについて適宜図面を参照しつつ説明する。
【００２１】
図１に示す箱用シートは、左右方向（図１のｘ方向）に交互に連接される一対の長さ面パネル１及び一対の幅面パネル２と、一対の長さ面パネル１の上縁から延出する一対の蓋外フラップ３と、一対の幅面パネル２の上縁から延出する一対の蓋内フラップ４とを備え、図２に示すように、箱体１０に組み立て可能な箱用シートである。また、当該箱用シートは、一対の長さ面パネル１の下縁から延出する一対の底外フラップ５と、一対の幅面パネル２の下縁から延出する一対の底内フラップ６と、糊代部７とを備える。なお、図１において、太い実線はシート材を切断した切断線を示し、細い実線はシート材に筋押しして形成される罫線を示す。
【００２２】
当該箱用シートは、１枚のシート材から形成される。上記シート材としては、例えば段ボールシート、プラスチックボード、ボール紙等を用いることができる。中でも段ボールシートが好適に用いられる。以下、当該箱用シートが段ボールシートからなる場合を例にとり説明するが、上記シート材が段ボールシートに限定されることを企図するものではない。
【００２３】
上記ダンボールシートとしては、１枚の中芯の両側を一対のライナーで挟み込んだものだけでなく、３枚のライナーの間にそれぞれ中芯が挟み込まれたいわゆるダブルフルートであってもよく、あるいは中芯の片側にのみライナーが貼着されたいわゆる片面段ボールであってもよい。
【００２４】
上記シート材の厚さの下限としては、強度の観点から、３ｍｍが好ましい。一方、シート材の厚さの上限としては、特に限定されないが、箱体１０への組立の容易性から８ｍｍが好ましい。
【００２５】
＜長さ面パネル及び幅面パネル＞
長さ面パネル１と幅面パネル２とは略方形状である。また、一対の長さ面パネル１は同等の大きさとされ、一対の幅面パネル２は同等の大きさとされる。
【００２６】
長さ面パネル１の上下方向長さ（図１のｙ方向の長さ）と、幅面パネル２の上下方向長さとは等しい。また、長さ面パネル１の左右方向長さ（図１のｘ方向の長さ）は、幅面パネル２の左右方向長さ以上である。
【００２７】
長さ面パネル１及び幅面パネル２の上下方向長さ、長さ面パネル１の左右方向の長さ、並びに幅面パネル２の左右方向の長さは、当該箱用シートにより組み立てられる箱体１０に収容が想定される収容物の大きさや個数に対応できるように適宜決定される。
【００２８】
中でも当該箱用シートとしては、長さ面パネル１及び幅面パネル２の上下方向長さが短い高さの低い箱体１０を組み立て可能なものが好ましい。具体的には、長さ面パネル１及び幅面パネル２の上下方向長さの上限としては、１５ｃｍが好ましく、１０ｃｍがより好ましい。
【００２９】
＜蓋外フラップ及び蓋内フラップ＞
一対の蓋外フラップ３及び一対の蓋内フラップ４は、略方形状であり、図２に示すように、組立状態で、一対の蓋外フラップ３の先端縁同士を突き合わせて、一対の蓋外フラップ３及び一対の幅面パネル２の外面に封函テープＸを貼着することで封函可能に構成されている。具体的には、組立時に、一対の蓋外フラップ３及び一対の蓋内フラップ４を、蓋内フラップ４が内側となるようにそれぞれ延出する長さ面パネル１及び幅面パネル２に対して内側へ直角に折り曲げ、封函テープＸを外面に貼着して、箱体１０の蓋部１１を形成することができる。
【００３０】
それぞれの蓋外フラップ３の延出方向長さ（図１のｙ方向の長さ）は、例えば幅面パネル２の左右方向の長さの１／２とされる。
【００３１】
一方、蓋内フラップ４の延出方向長さは、特に限定されないが、蓋外フラップ３の長さと同等とできる。
【００３２】
なお、蓋外フラップ３及び蓋内フラップ４の左右方向の長さ（図１のｘ方向の長さ）は、特に限定されないが、それぞれ延出する長さ面パネル１及び幅面パネル２の左右方向の長さと同等とすることが好ましい。
【００３３】
＜底外フラップ及び底内フラップ＞
一対の底外フラップ５及び一対の底内フラップ６は、略方形状であり、略方形状であり、組立状態で、一対の底外フラップ５の先端縁同士を突き合わせて、一対の底外フラップ５及び一対の幅面パネル２の外面に封函テープＹを貼着することで封函可能に構成されている。具体的には、組立時に、一対の底外フラップ５及び一対の底内フラップ６を、底内フラップ６が内側となるようにそれぞれ延出する長さ面パネル１及び幅面パネル２に対して内側へ直角に折り曲げ、封函テープＹを外面に貼着して、箱体１０の底部１２を形成することができる。
【００３４】
箱体１０の底部１２を閉塞可能に構成されている点を除き、一対の底外フラップ５及び一対の底内フラップ６は、一対の蓋外フラップ３及び一対の蓋内フラップ４と同様に構成できるので、詳細説明を省略する。
【００３５】
＜糊代部＞
糊代部７は、左右方向に交互に連接される一対の長さ面パネル１及び一対の幅面パネル２で構成される帯状体の側端に設けられている。図１の箱用シートでは、糊代部７は、長さ面パネル１に設けられている。糊代部７は、上記帯状体の他方の側端と当接可能に構成されている。この当接部分を上記帯状体の他方の側端に貼着することで一対の長さ面パネル１及び一対の幅面パネル２を無端状とできる。あるいは、貼着に代えてワイヤー接合等により結合してもよい。
【００３６】
糊代部７は方形状とすることもできるが、台形状であることが好ましい。具体的には、糊代部７は、その一対の側辺が上記帯状体から遠ざかるに従って内側へ傾斜する等脚台形状であるとよい。このように糊代部７を等脚台形状とすることで、当該箱用シートを箱体１０に組み立てた際に、糊代部７の側縁付近での貼着強度を維持しつつ、糊代部７の側縁が蓋内フラップ４や底内フラップ６と干渉することを抑止できる。
【００３７】
＜凹部及び切断線＞
当該箱用シートは、それぞれの幅面パネル２の封函テープＸが貼着される位置の外面に、潰し加工で凹部２０が形成されている。凹部２０は、長軸が上下方向に延びる長円形状である。また、当該箱用シートは、それぞれの幅面パネル２に、凹部２０を跨がって左右方向に延びる第１切断線２１と、第１切断線２１の両端それぞれを中点として上下方向に延びる一対の第２切断線２２と、一対の第２切断線２２の上端同士及び下端同士をそれぞれ連結する一対の折曲容易線２３とが形成されている。
【００３８】
凹部２０は、幅面パネル２の他の外面より奥まっているため、封函テープＸを貼着した際に、封函テープＸが貼着されないか、貼着されたとしても貼着が弱い。このため封函テープＸの切断端が凹部２０にかかるように封函テープＸを貼着すると、この凹部２０を起点として、封函テープＸを剥離させ易いという効果を奏する（図３参照）。なお、当該箱用シートでは、凹部２０を長軸が上下方向に延びる長円形状としているので、切断端が凹部２０にかかるようにするために、封函テープＸの長さを高い精度で調整することを必要とせず、容易に封函作業を行うことができる。
【００３９】
図１に示すように、凹部２０に第１切断線２１が跨がっている。封函テープＸを剥離させる場合、開封作業者は封函テープＸの切断端に外面側から接触する。このため、基本的に封函テープＸを幅面パネル２に向かって押す力が加わり易い。この力により、封函テープＸが凹部２０へ押し込まれると、封函テープＸが凹部２０に貼着され、剥離させ難くなるおそれがある。これに対し、第１切断線２１が凹部２０に跨がっていると、封函テープＸを剥離する際に、幅面パネル２の第１切断線２１近傍の領域が箱体１０の内面に押し込まれ（図４参照）、これによって、外面側から押された封函テープＸが凹部２０に貼着されることを抑止できる。このため、より確実に封函テープＸを剥離させることができる。
【００４０】
当該箱用シートでは、一対の第２切断線２２の上端同士及び下端同士をそれぞれ連結する一対の折曲容易線２３を有している。図４に示すように、この折曲容易線２３で折れ曲がることで、幅面パネル２の第１切断線２１近傍の領域が箱体１０の内面に押し込まれ易くなる。従って、この一対の折曲容易線２３により、封函テープＸが凹部２０に貼着されることを抑止する効果を高められる。
【００４１】
また、凹部２０は、幅面パネル２の上下方向中央部に形成されている。図２に示すように、底部１２を封函テープＹで封函する高さの低い箱体において、１つの凹部２０で蓋部１１を封函する封函テープＸのみならず、底部１２を封函する封函テープＹも容易に剥離させることができる。
【００４２】
凹部２０は、一対の折曲容易線２３を跨がって配置されていることが好ましい。このように凹部２０を一対の折曲容易線２３を跨がって配置することで、幅面パネル２に貼着され難い非貼着面がさらに確保され、封函テープＸを剥離させ易いという効果を高めることができる。
【００４３】
凹部２０の長軸方向の長さの下限としては、３０ｍｍが好ましく、４０ｍｍがより好ましい。一方、凹部２０の長軸方向の長さの上限としては、７０ｍｍが好ましく、６０ｍｍがより好ましい。凹部２０の長軸方向の長さが上記下限未満であると、封函テープＸを剥離させ易くする効果が不十分となるおそれがある。逆に、凹部２０の長軸方向の長さが上記上限を超えると、封函テープＸが意図せず剥離し易くなるおそれがある。
【００４４】
凹部２０の短軸方向の長さの下限としては、１５ｍｍが好ましく、２０ｍｍがより好ましい。一方、凹部２０の短軸方向の長さの上限としては、３５ｍｍが好ましく、３０ｍｍがより好ましい。凹部２０の短軸方向の長さが上記下限未満であると、封函テープＸを剥離させ易くする効果が不十分となるおそれがある。逆に、凹部２０の短軸方向の長さが上記上限を超えると、封函テープＸが意図せず剥離し易くなるおそれがある。
【００４５】
一対の第２切断線２２の間隔は、図２に示すように、封函テープＸの幅より大きくすることができる。この場合、一対の第２切断線２２は、貼着後の封函テープＸを挟むように位置することが好ましい。このように一対の第２切断線２２の間隔を、封函テープＸの幅より大きくとると、この一対の第２切断線２２の間に配置される凹部２０の面積を確保し易い。また、一対の第２切断線２２の間隔と長さが等しい第１切断線２１が、封函テープＸを横断するので、外面側から押された封函テープＸが凹部２０に貼着されることを抑止し易い。
【００４６】
一方、一対の第２切断線２２の間隔は、封函テープＸの幅より小さくすることもできる。この場合、一対の第２切断線２２は、貼着後の封函テープＸの背面に位置することが好ましい。このように一対の第２切断線２２の間隔を、封函テープＸの幅より小さくとると、第１切断線２１及び第２切断線２２から埃等が内部に侵入することが封函テープＸにより抑止される。
【００４７】
＜箱体の組立方法＞
当該箱用シートを箱体１０に組み立てる箱体の組立方法は、四角筒状部組立工程と、底部組立工程と、蓋部組立工程とを備える。
【００４８】
（四角筒状部組立工程）
四角筒状部組立工程では、左右方向に交互に連接される一対の長さ面パネル１及び一対の幅面パネル２を四角筒状に組み立てる。
【００４９】
具体的には、以下の手順による。まず、左右方向に交互に連接される一対の長さ面パネル１及び一対の幅面パネル２のうち、一方の側端（図１の左側）に位置する長さ面パネル１を、隣接する幅面パネル２の内面側に折り重ね、他方の側端（図１の右側）に位置する幅面パネル２を、隣接する長さ面パネル１の内面側に折り重ねる。そして糊代部７を幅面パネル２の左右方向他方側（長さ面パネル１との連接側と反対側）の内面に貼着する。これにより、一対の長さ面パネル１及び一対の幅面パネル２が無端状に接続される。当該箱用シートは、この状態でユーザ（箱体１０の使用者）に提供される。幅面パネル２への糊代部７の貼着は、例えば接着剤、ステープラー等を用いて行うことができる。
【００５０】
次に、無端状に接続された一対の長さ面パネル１及び一対の幅面パネル２を四角筒状に広げる。これにより、箱体１０の側面が四角筒状に組み立てられる。
【００５１】
（底部組立工程）
底部組立工程では、一対の底内フラップ６及び一対の底外フラップ５により箱体１０の底部１２を組み立てる。
【００５２】
具体的には、以下の手順による。まず、一対の底内フラップ６を幅面パネル２に対して直角になるように四角筒状の箱体の内側に折り曲げる。次に、その外面に接するように一対の底外フラップ５を長さ面パネル１に対して直角になるように折り曲げる。一対の底外フラップ５は、先端縁同士を突き合わせ可能に構成されているので、この突き合わせ部及び一対の幅面パネル２の外面に封函テープＹを貼着することで、底部１２が形成される。この封函テープＹの長さは、その切断端が凹部２０にかかるように調整される。
【００５３】
（蓋部組立工程）
蓋部組立工程では、一対の蓋外フラップ３及び一対の蓋内フラップ４により箱体１０の蓋部１１を組み立てる。
【００５４】
この工程は、梱包する対象物を底部１２及び上記四角筒状部で囲まれる空間に収容した後に行われる。蓋部１１の形成方法は、底部組立工程と同様である。まず、一対の蓋内フラップ４を幅面パネル２に対して直角になるように四角筒状の箱体の内側に折り曲げる。次に、その外面に接するように一対の蓋外フラップ３を長さ面パネル１に対して直角になるように折り曲げる。一対の蓋外フラップ３は、先端縁同士を突き合わせ可能に構成されているので、この突き合わせ部及び一対の幅面パネル２の外面に封函テープＸを貼着することで、蓋部１１が形成される。この封函テープＸの長さは、その切断端が凹部２０にかかるように調整される。
【００５５】
＜箱体の開封＞
箱体１０を開封する際は、蓋部１１を封函する封函テープＸを剥がしたうえで一対の蓋外フラップ３同士を開放する。このとき、当該箱用シートを組み立ててなる箱体１０は、封函テープＸの切断端が凹部２０にかかっているので、この切断端近傍の貼着面積が小さいので、封函テープＸの端部を容易に剥離させることができる。
【００５６】
＜利点＞
当該箱用シートでは、幅面パネル２の封函テープＸが貼着される位置の外面に潰し加工で形成される凹部２０を有する。この凹部２０上では封函テープＸが貼着され難く、封函テープＸの貼着面積が低減される。当該箱用シートでは、凹部２０を長軸が上下方向に延びる長円形状とすることで、封函テープＸの端部において、この幅面パネル２に貼着され難い非貼着面が確保され、封函テープＸを剥離させ易い。このように当該箱用シートでは、非貼着面の確保により封函テープＸを剥離させ易くするので、例えば高さの低い箱体で、蓋部１１を封函する封函テープＸが底部１２を封函する封函テープＹに重なってしまう場合においても、蓋部１１を封函する封函テープＸを剥離させ易いという効果を奏することができる。
【００５７】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００５８】
上記実施形態では、それぞれの幅面パネルに、凹部、第１切断線、第２切断線及び折曲容易線を有する場合を説明したが、これらは一方の幅面パネルのみに設けられてもよい。あるいは、１つの幅面パネルに、蓋部用及び底部用の２つの凹部等が設けられてもよい。
【００５９】
上記実施形態では、凹部、第１切断線、第２切断線及び折曲容易線を有する場合を説明したが、折曲容易線、あるいは第１切断線、第２切断線及び折曲容易線は省略可能である。凹部のみ、あるいは凹部、第１切断線及び第２切断線のみを有する箱用シートも本考案の意図するところである。また、それぞれの幅面パネルは、異なる構成であってもよい。つまり、例えば一方の幅面パネルには、凹部のみを有し、他方の幅面パネルには凹部、第１切断線、第２切断線及び折曲容易線を有する構成であってもよい。
【００６０】
上記実施形態では、凹部が幅面パネルの上下方向中央部に形成されている構成を説明したが、凹部が幅面パネルの上下方向中央部に形成されていることは必須の構成ではない。例えば箱体の高さが高い場合、幅面パネルの封函テープが貼着される位置に合わせて、上方に設けてもよい。
【００６１】
上記実施形態では、箱用シートの底部を形成する底フラップが４枚である場合を説明したが、底部が形成できる限り底フラップの枚数は限定されず、また具体的な構成も限定されるものではない。例えば一方の長さ面パネルの下縁から延出する１つの底フラップによって底部が形成されてもよい。この場合、凹部等は蓋部の開封容易性にのみ寄与する。
【産業上の利用可能性】
【００６２】
以上のように、本考案の箱用シートは、高さの低い箱体であっても容易に封函テープを剥離することができる箱体を組立可能である。従って、当該箱用シートを組み立ててなる箱体は、蓋部を容易に開封することができる。
【符号の説明】
【００６３】
１  長さ面パネル
２  幅面パネル
３  蓋外フラップ
４  蓋内フラップ
５  底外フラップ
６  底内フラップ
７  糊代部
１０  箱体
１１  蓋部
１２  底部
２０  凹部
２１  第１切断線
２２  第２切断線
２３  折曲容易線
Ｘ、Ｙ  封函テープ
【図１】
0003235381.tif 000003
【図２】
0003235381.tif 000004
【図３】
0003235381.tif 000005
【図４】
0003235381.tif 000006